(57)【要約】【課題】  携帯端末と一体化された非接触ＩＣカードの機能を使用する際の利便性を高める。【解決手段】  携帯端末１は、ユーザによる入力操作を受け付ける入力手段１１と、この入力手段１１に対する入力操作に応じて、少なくとも非接触での非接触ＩＣカード１３の記録データに対するアクセスを不可能にするアクセス制限手段１４と、このアクセス制限手段１４により非接触ＩＣカード１３に対するアクセスが不可能とされているか否かを表示する表示手段１２を備える。表示手段１２は、非接触ＩＣカード１３の非接触でのデータ送受信のためのアンテナ１３ａを設けた側の反対面に設けられ、非接触ＩＣカード１３のアンテナ１３ａを配置した面をＲ／Ｗ２にかざしたときに、非接触ＩＣカード１３へのアクセスの可否についてユーザが容易に確認することができる。【選択図】  図１
2005301489.tif 000002
【特許請求の範囲】
【請求項１】
外部機器との間で非接触でデータの送受信が可能な非接触ＩＣカードを備えた携帯端末において、
ユーザによる入力操作を受け付ける入力手段と、
前記入力手段に対する入力操作に応じて、少なくとも非接触での前記非接触ＩＣカードの記録データに対するアクセスを不可能にするアクセス制限手段と、
前記アクセス制限手段により前記非接触ＩＣカードに対するアクセスが不可能とされているか否かを表示する表示手段と、
を有することを特徴とする携帯端末。
【請求項２】
前記表示手段は、前記非接触ＩＣカードに非接触でデータを送受信させる際に、通信対象の外部機器に向ける筐体面の反対面に設けられることを特徴とする請求項１記載の携帯端末。
【請求項３】
前記非接触ＩＣカードとの間で有線によりデータの送受信を行って処理する処理手段をさらに有し、
前記アクセス制限手段はさらに、前記処理手段による前記非接触ＩＣカードの記録データに対するアクセスも不可能とすることを特徴とする請求項１記載の携帯端末。
【請求項４】
前記表示手段は、前記入力手段に対する入力操作に応じて起動されたアプリケーションプログラムの実行中に前記処理手段が前記非接触ＩＣカードにアクセスしたときに、前記アクセス制限手段によりアクセスが不可能とされていた場合に、前記非接触ＩＣカードに対するアクセスが不可能である旨を表示するとともに、利用中の前記アプリケーションプログラムを識別するための情報を表示することを特徴とする請求項３記載の携帯端末。
【請求項５】
前記表示手段は、外部機器から前記非接触ＩＣカードに対する非接触でのアクセスがあったときに、前記アクセス制限手段によりアクセスが不可能とされていた場合にその旨を表示することを特徴とする請求項１記載の携帯端末。
【発明の詳細な説明】
【技術分野】
【０００１】
本発明は、外部機器との間で非接触でデータの送受信が可能な非接触ＩＣカードを備えた携帯端末に関し、特に、ユーザ操作に応じて非接触ＩＣカードの記録データへのアクセスを制限することが可能な携帯端末に関する。
【背景技術】
【０００２】
近年、非接触で外部との情報の受け渡しが可能なＩＣカード（以下、非接触ＩＣカードと呼称する）が、電子マネーや定期券、入館証などに利用されるようになっている。最近では、この非接触型ＩＣカードを、携帯電話機のような携帯端末と一体化して利用できるようにした製品が登場しつつある。このような携帯端末は、本体を非接触のＩＣカードリーダにかざすことにより、非接触ＩＣカードを単体で用いた場合と同じように利用することができる。なお、携帯電話機としては、非接触型および接触型の双方の機能を備えたＩＣカードを一体化したものも考えられている（例えば、特許文献１参照）。
【０００３】
携帯端末と非接触ＩＣカード機能を一体化することのメリットの１つに、携帯端末が備えるディスプレイや操作キーなどのＵＩ（User Interface）を、非接触ＩＣカードの内容を参照したり書き換えたりするために利用できることがある。このような参照や書き換えの際には、携帯端末の内部の制御部が有線を通じてＩＣカードにアクセスすることから、非接触ＩＣカードを接触型のＩＣカードとして利用しているともいえる。
【０００４】
さらに、携帯端末と非接触ＩＣカード機能を一体化することにより、携帯端末のＵＩを利用して非接触ＩＣカード自体の機能を制限することができる。ここでいう非接触ＩＣカードの機能制限とは、非接触ＩＣカードをそのリーダ／ライタ（以下、Ｒ／Ｗと呼称する）と通信可能な距離内にかざした場合に、Ｒ／Ｗからのアクセスを受け付けないようにすることを指す。このような制限機能により、ユーザが意図しないところで非接触ＩＣカード機能が動作することを防ぐことができる。以下、この制限機能をＩＣカードロック機能と呼ぶことにする。
【０００５】
ＩＣカードロック機能を有効にする操作は、携帯端末の通常機能の操作と同様に、操作キーやタッチパネルなどの入力手段を用いて行われる。また、機能解除も同様にキー操作などにより行うが、セキュリティ確保のために暗証番号などの本人確認手段を併用する必要がある。
【０００６】
また、ＩＣカードロック機能の有効状態では、携帯端末をＲ／Ｗにかざしても、Ｒ／Ｗ側から非接触ＩＣカードを検出することができない。さらに、非接触ＩＣカード機能を携帯端末と一体化したことにより、ＩＣカードの記録データの参照や書き換えのための操作自体が機能制限の対象ともなりうるため、ＩＣカードロック機能の有効状態では、端末内の制御部から非接触ＩＣカードへのアクセス、すなわち接触ＩＣカードとしての利用をも制限することもできる。
【特許文献１】特開２００２−３５１６２３号公報（段落番号〔００１６〕〜〔００２１〕、図１）
【発明の開示】
【発明が解決しようとする課題】
【０００７】
しかし、ＩＣカードロック機能を設けた場合には、以下のような問題があった。例えば、Ｒ／Ｗを用いて非接触ＩＣカードとの間で情報の受け渡しを行う際に、携帯端末をＲ／ＷにかざしてもＲ／Ｗが反応しない場合には、それがＩＣカードロック機能によるものなのか、あるいは、Ｒ／Ｗとの距離が離れすぎていることや装置の故障など、別の要因によるものなのか、ユーザにとってわかりにくい。
【０００８】
また、携帯端末内で非接触ＩＣカードの記録データの参照や書き換えを伴うアプリケーションを利用している際に、非接触ＩＣカードへのアクセスができない場合にも、それがＩＣカードロック機能によるものなのか、あるいは他の要因によるものなのか、ユーザにとってわかりにくい。
【０００９】
本発明はこのような点に鑑みてなされたものであり、携帯端末と一体化された非接触ＩＣカードの機能を使用する際の利便性を高めることが可能な携帯端末を提供することを目的とする。
【課題を解決するための手段】
【００１０】
本発明では上記課題を解決するために、図１に示すように、外部機器との間で非接触でデータの送受信が可能な非接触ＩＣカード１３を備えた携帯端末において、ユーザによる入力操作を受け付ける入力手段１１と、前記入力手段１１に対する入力操作に応じて、少なくとも非接触での前記非接触ＩＣカード１３の記録データに対するアクセスを不可能にするアクセス制限手段１４と、前記アクセス制限手段１４により前記非接触ＩＣカード１３に対するアクセスが不可能とされているか否かを表示する表示手段１２とを有することを特徴とする携帯端末が提供される。
【００１１】
このような携帯端末では、アクセス制限手段１４により、非接触ＩＣカード１３の記録データに対する非接触でのアクセスをユーザの入力操作に応じて不可能にすることができ、ユーザの意図しないところで外部からの非接触ＩＣカード１３の読み取りや書き込みが行われることが防止される。また、表示手段１２は、アクセス制限手段１４により非接触ＩＣカード１３に対するアクセスが不可能とされているかについて表示するので、ユーザは、アクセス制限手段１４の動作による非接触ＩＣカード１３に対するアクセスの可否を容易に確認することができる。
【発明の効果】
【００１２】
本発明の携帯端末によれば、アクセス制限手段により非接触ＩＣカードに対するアクセスが不可能とされているときに、携帯端末を非接触ＩＣカードに対するデータ送受信を実行しようとした場合に、ユーザは、非接触ＩＣカードに対するアクセスがアクセス制限手段により不可能とされていることを表示手段を通じて容易に知ることができるので、非接触ＩＣカードの機能を利用した際のユーザの利便性を高めることができる。
【発明を実施するための最良の形態】
【００１３】
以下、本発明の実施の形態を図面を参照して詳細に説明する。
図１は、本発明の原理を説明するための図である。この図１を用いて、本発明の概要を説明する。
【００１４】
本発明の携帯端末１は、例えば携帯電話機やＰＤＡ（Personal Digital Assistants）などの携帯型の情報処理装置であり、無線電話回線を通じた通話・データ通信機能や、各種アプリケーションプログラムの実行処理機能などを備えている。この携帯端末１は、入力手段１１および表示手段１２を具備する。入力手段１１は例えば操作キーやタッチパネルなどであり、表示手段１２はＬＣＤ（Liquid Crystal Display）やＬＥＤ（Light Emitting Diode）などであって、これらは上記各機能を利用するためのＵＩとなるものである。
【００１５】
また、この携帯端末１は、外部機器との間で非接触でデータの送受信を行うことが可能な非接触ＩＣカード１３を一体に備えている。非接触ＩＣカード１３は、内部に半導体メモリとその読み取りや書き込みのための制御部や認証処理部などを有し、アンテナ１３ａを通じて外部のＲ／Ｗ２との間でデータを送受信する。
【００１６】
さらにこの携帯端末１は、非接触ＩＣカード１３の記録データに対するアクセスを制限するアクセス制限手段１４を具備している。アクセス制限手段１４は、少なくとも外部のＲ／Ｗ２からの非接触による記録データへのアクセスの可否を制御するものである。また、このようなアクセス制限の制御は、入力手段１１を用いたユーザ操作に応じて行われる。このアクセス制限手段１４により、ユーザが意図しないところで非接触ＩＣカード１３の記録データが読み取られたり、書き換えられたりすることを防ぐことができる。なお、アクセス制限を制御するための入力手段は、上述した通話・データ通信機能やプログラム実行機能の利用時に用いられるものと共通でも、または独立したものとして実現されてもよい。
【００１７】
そして、本発明の携帯端末１では、アクセス制限手段１４により非接触ＩＣカード１３へのアクセスが不可能とされているか否かについて、表示手段１２に表示する。なお、アクセスの可否を表示する表示手段は、上述した通話・データ通信機能やプログラム実行機能の利用時に用いられるものと共通でも、または独立したものとして実現されてもよい。例えば、アクセスの可否を示すアイコンをＬＣＤなどの画面の一部に表示すること、あるいは、アクセスが不可能である場合に点灯するＬＥＤを設けることなどにより実現されればよい。
【００１８】
このように表示手段１２においてアクセス可否の状態を表示することにより、ユーザはアクセスの可否を容易に確認することができるので、例えば携帯端末１をＲ／Ｗ２にかざしてもデータ送受信が行われない場合に、それがアクセス制限機能によるものなのか、あるいは、Ｒ／Ｗとの距離が離れすぎていることや装置の故障など、別の要因によるものなのかをユーザが容易に判断することができ、利便性が高まる。
【００１９】
また、携帯端末１では一般的に、非接触ＩＣカード１３の非接触でのデータ送受信を行うためのアンテナ１３ａが、携帯端末１の筐体の一方の面に近い位置に配置され、その面をＲ／Ｗ２に近づけてかざすことにより、データの送受信が行われる。そして、アクセス制限手段１４によりアクセスが不可能とされているか否かを示す表示手段１２は、図１のように、アンテナ１３ａが配置されている面の反対面に設けられる。
【００２０】
これにより、携帯端末１をＲ／Ｗ２に近づけ、非接触ＩＣカード１３のデータ送受信を行おうとした際に、ユーザは、アクセス制限手段１４によりデータ送受信が可能とされているか否かについて、表示手段１２を通じて容易に視認し、確認することができるので、さらに利便性が高まる。
【００２１】
なお、非接触ＩＣカード１３の記録データに対するアクセスは、外部からの非接触でのアクセスの他に、携帯端末１のプログラム実行処理機能によるアクセスが可能とされていてもよい。この場合、アクセス制限手段１４は、プログラム実行処理機能によるアクセスを制限できるようにしてもよい。そして、この場合でも、アクセス制限手段１４の制御によるアクセスの可否について表示手段１２に表示することにより、非接触ＩＣカード１３へのアクセスの可否をユーザが容易に確認することが可能となり、利便性が高まる。
【００２２】
次に、本発明を携帯電話機に適用した場合を想定して、本発明の実施の形態について説明する。
図２は、本発明の実施の形態に係る携帯電話機の内部構成を示すブロック図である。
【００２３】
図２に示す携帯電話機１００は、装置全体を統括的に制御する制御部１１０と、無線電話回線を通じてデータの送受信を行う無線送受信処理部１２０と、通話のための音声処理部１３０と、ＬＣＤなどからなるディスプレイ１４１の表示画像を生成する表示処理部１４０と、入力キー１５１に対する入力Ｉ／Ｆ１５０と、非接触ＩＣカード１６０と、非接触ＩＣカード１６０の記録データに対するアクセス制御を行うＩＣカードロック制御部１７０とが、内部バス１８０により相互に接続された構成を有している。
【００２４】
制御部１１０は、ＣＰＵ（Central Processing Unit）、ＣＰＵによって実行されるプログラムなどが格納されたＲＯＭ（Read Only Memory）、ＣＰＵによる処理時の作業領域となるＲＡＭ（Random Access Memory）などからなり、携帯電話機１００内の各ブロックを統括的に制御する。具体的には、無線電話回線を通じた通話処理やデータ通信処理、非接触ＩＣカード１６０に対するアクセスを伴うアプリケーション処理、この非接触ＩＣカード１６０の機能制限処理などを制御する。
【００２５】
無線送受信処理部１２０には、無線電話回線の基地局との間で通信するためのアンテナ１２１が接続されている。無線送受信処理部１２０は、アンテナ１２１からの受信信号の復調やデータ分離、送信すべきデータの生成や変調などを行う。
【００２６】
音声処理部１３０には、スピーカ１３１およびマイクロフォン１３２が接続されている。音声処理部１３０は、マイクロフォン１３２からの音声信号やスピーカ１３２に出力する音声信号の増幅、音声信号のエンコード／デコード処理などを行う。
【００２７】
通話が行われる際には、制御部１１０の制御の下で、マイクロフォン１３２によって収音された音声信号が音声処理部１３０によりエンコードされて無線送受信処理部１２０に供給され、無線送受信処理部１２０は、受け取った音声データをパケットに格納して送信データを生成し、変調などを施してアンテナ１２１から基地局に対して送信する。また、アンテナ１２１による受信信号は無線送受信処理部１２０により復調され、音声データが分離されて音声処理部１３０に供給される。音声処理部１３０は、受け取った音声データをデコードして増幅し、これにより音声がスピーカ１３２から再生出力される。
【００２８】
また、無線電話回線を通じたデータ通信が行われる際には、送信すべきデータが制御部１１０から内部バス１８０を通じて無線送受信処理部１２０に供給され、無線送受信処理部１２０は受け取ったデータをパケットに格納して変調し、アンテナ１２１を通じて送信する。また、アンテナ１２１による受信信号は無線送受信処理部１２０により復調されてデータが分離され、内部バス１８０を通じて制御部１１０に供給される。制御部１１０は、受け取ったデータに応じて、表示処理部１４０を通じた情報の表示や、新たなデータの送信処理などを行う。
【００２９】
非接触ＩＣカード１６０には、非接触でのデータ送受信のためのアンテナ１６１が接続されている。非接触ＩＣカード１６０は、不揮発性のデータ記憶部や、データ記憶部へのアクセスに対する認証処理部、アンテナ１６１との間で受け渡される信号の変復調、内部バス１８０を通じた制御部１１０との通信制御部などを具備している。また、アンテナ１６１による受信電波を基にした電源発生部を具備していてもよい。
【００３０】
本実施の形態では、例として、非接触ＩＣカード１６０は電子マネーとしての機能を備える。非接触ＩＣカード１６０では、例えば、ユーザが商品の購入や鉄道などの交通機関を利用する際などに、外部のＲ／Ｗからのアクセスを受けて、記憶部に記憶された金額情報の書き換えが行われる。また、制御部１１０は、アプリケーションプログラムの実行により、入力キー１５１に対するユーザ操作に応じて、非接触ＩＣカード１６０が記憶している電子マネーの残高や決済履歴などを読み出し、これらの情報をディスプレイ１４１に表示させることができる。
【００３１】
ＩＣカードロック制御部１７０は、非接触ＩＣカード１６０の記録データに対するアクセスを不可能にする機能（ＩＣカードロック機能）を制御する。本実施の形態では、アンテナ１６１を通じた外部からのアクセスと、制御部１１０からのアクセスの双方が制限される。ＩＣカードロック制御部１７０は、ユーザ操作に応じた制御部１１０からの命令に基づいて、ＩＣカードロック機能の状態（ロック機能状態）を指示する制御信号を非接触ＩＣカード１６０に供給する。ＩＣカードロック機能は、例えば、ＩＣカードロック制御部１７０からの制御信号に応じて、非接触ＩＣカード１６０がアンテナ１６１および内部バス１８０を通じた通信機能を停止させることや、あるいは記憶部の読み出し／書き込みを不可能にすることなどにより実現される。
【００３２】
また、ＩＣカードロック制御部１７０は、非接触ＩＣカード１６０のロック機能状態を制御部１１０に通知する。ＩＣカードロック制御部１７０は、例えばロック機能状態を示すフラグ情報を保持する。これにより、制御部１１０は、ロック機能状態を認識して、その状態に応じたアイコンなどをディスプレイ１４１に表示する。なお、ロック機能状態が表示されるディスプレイ１４１は、非接触ＩＣカード１６０の非接触での通信用のアンテナ１６１が設けられた面の反対面に設けられる。
【００３３】
図３は、ロック機能状態を表示する処理例を示すフローチャートである。
図３は、ＩＣカードロック機能により非接触ＩＣカード１６０の通信機能が停止される場合のロック機能状態の表示処理例を示している。ここでは例として、非接触ＩＣカード１６０がロック機能状態を示すアイコンがディスプレイ１４１の画面の一部に常時表示されるものとする。また、図３のフローチャートの初期状態では、ロック解除状態であることが表示されているものとする。
【００３４】
〔ステップＳ１０１〕ＩＣカードロック機能を有効にする（ロックする）ための入力キー１５１を用いた入力操作があったか否かを制御部１１０が監視し、入力があった場合にステップＳ１０２に進む。
【００３５】
〔ステップＳ１０２〕制御部１１０はＩＣカードロック制御部１７０に対して非接触ＩＣカード１６０をロックさせるように指示し、これにより非接触ＩＣカード１６０がロックされた状態に設定される。
【００３６】
〔ステップＳ１０３〕ＩＣカードロック制御部１７０は、ロック機能状態を示すフラグ情報を１とし、制御部１１０はこのフラグ情報に基づいて、ＩＣカードロック機能が有効であることを示すアイコンの表示を表示処理部１４０に要求し、このアイコンをディスプレイ１４１に表示させる。
【００３７】
なお、制御部１１０は、例えば電子マネーの残高や決済履歴を表示させるなど、非接触ＩＣカード１６０へのアクセスを伴う処理を実行させるための入力操作を受けたとき、ＩＣカードロック制御部１７０が保持するロック機能状態を示すフラグ情報を参照し、このフラグが１であるときには非接触ＩＣカード１６０に対するアクセスを不可能と判断して、ディスプレイ１４１を通じてその旨をユーザに通知することもできる。
【００３８】
〔ステップＳ１０４〕制御部１１０は、非接触ＩＣカード１６０のＩＣカードロック機能を解除するための入力キー１５１を用いた入力操作があったか否かを監視し、入力があった場合にステップＳ１０５に進む。
【００３９】
〔ステップＳ１０５〕ロック解除のための入力操作があった場合、制御部１１０は、暗証番号の入力を受け付ける画面を表示処理部１４０を通じてディスプレイ１４１に表示させ、入力キー１５１を用いて入力された暗証番号を受け取る。
【００４０】
〔ステップＳ１０６〕制御部１１０は、受け取った暗証番号と、あらかじめ設定されていた番号との照合処理を行い、正しく認証された場合はステップＳ１０７に進み、認証されなかった場合はステップＳ１０４に戻る。
【００４１】
〔ステップＳ１０７〕制御部１１０はＩＣカードロック制御部１７０にＩＣカードロック機能を解除するように指示し、これにより非接触ＩＣカード１６０のロックが解除される。
【００４２】
〔ステップＳ１０８〕ＩＣカードロック制御部１７０は、ロック機能状態を示すフラグ情報を０とし、制御部１１０はこのフラグ情報に基づいて、ロック解除状態であることを示すアイコンをディスプレイ１４１に表示させる。
【００４３】
以上の処理例では、ロック機能状態を示すアイコンが常時表示されるので、ＩＣカードロック機能が有効となっているか否かの状態をユーザが容易に認識することができる。従って、非接触ＩＣカード１６０のデータ読み取りやデータ書き込みが不可能であった場合にも、その原因がＩＣカードロック機能によるものか否かをユーザが容易に認識することができる。また、ユーザは例えば、携帯電話機１００を外部のＲ／Ｗにかざす直前に、ＩＣカードロック機能によりデータの送受信が不可能であることに気づく可能性が高まるので、より利便性が高められる。
【００４４】
なお、上記の処理ではロック機能状態を示すアイコンを常時表示させていたが、この他に、ＩＣカードロック機能が有効である場合にのみアイコンなどを表示してもよい。あるいは、ＩＣカードロック機能が有効であるときに、ユーザによるキー入力操作に応じて非接触ＩＣカード１６０に対するアクセスを行おうとした場合にのみ、ＩＣカードロック機能が有効であることを示すアイコンなどを表示してもよい。この場合、アイコンなどの表示とともに、例えば特定の音を発することや、バイブレータを動作させることなどにより、アクセス不可能であることをユーザに通知するようにしてもよい。
【００４５】
図４は、ロック機能状態を表示するための他の処理例を示すフローチャートである。
図４は、ＩＣカードロック機能により、非接触ＩＣカード１６０の記憶データの読み出し／書き込みが不可能とされる場合のロック機能状態の表示処理例を示している。この処理では、通常ではロック機能状態を示すアイコンは表示されていない。
【００４６】
〔ステップＳ２０１〕非接触ＩＣカード１６０をロックするための入力キー１５１を用いた入力操作があったか否かを制御部１１０が監視し、入力があった場合にステップＳ２０２に進む。
【００４７】
〔ステップＳ２０２〕制御部１１０はＩＣカードロック制御部１７０に対して非接触ＩＣカード１６０をロックさせるように指示し、これにより非接触ＩＣカード１６０がロックされた状態に設定される。
【００４８】
〔ステップＳ２０３〕非接触ＩＣカード１６０は、外部のＲ／Ｗ、あるいは制御部１１０からのアクセスがあるかを監視し、アクセスがあった場合にはその旨をＩＣカードロック制御部１７０に通知する。この後ステップＳ２０４に進む。一方、アクセスが無い場合はステップＳ２０５に進む。
【００４９】
〔ステップＳ２０４〕ＩＣカードロック制御部１７０は、非接触ＩＣカード１６０に対するアクセスがあったことの通知を受けると、制御部１１０に対して非接触ＩＣカード１６０のＩＣカードロック機能が有効であることを通知する。制御部１１０はこの通知に応じて、ＩＣカードロック機能が有効であることを示すアイコンをディスプレイ１４１に一定時間表示させる。なお、このとき、アイコンの表示に加えて、特定の音を発する、あるいはバイブレータを動作させるようにしてもよい。
【００５０】
この後、ステップＳ２０５〜Ｓ２０８の処理は、図３のステップＳ１０４〜Ｓ１０７に対応するので、説明を省略する。なお、ロック解除のためのキー入力がない場合（ステップＳ２０５）、および暗証番号による認証に失敗した場合（ステップＳ２０７）には、ステップＳ２０３に戻る。
【００５１】
以上の処理例では、例えば、ＩＣカードロック機能が有効である場合に、入力キー１５１を用いたユーザ操作により非接触ＩＣカード１６０にアクセスする処理が実行されたとき、および、外部のＲ／Ｗに携帯電話機１００をかざしてデータの送受信を行おうとしたときに、ロックされていることをユーザに対して認識させることができる。また、ロックされているときでも非接触ＩＣカード１６０が外部からのアクセスを監視しているので、例えばロックされていることを外部のＲ／Ｗに通知し、Ｒ／Ｗの側がユーザに警告を発するようにすることもできる。
【００５２】
なお、上記のフローチャートにおいて、ステップＳ２０４で、ロック解除のための操作画面を表示し、ユーザの入力を受け付けると即座に非接触ＩＣカード１６０に対するアクセスの可能な状態に移行するようにしてもよい。例えば、ステップＳ２０４で、ロック解除のための暗証番号の入力画面を表示し、番号が入力されると即座に認証処理（ステップＳ２０７に対応）を行うようにする。
【００５３】
次に、ロック機能状態をディスプレイ１４１に表示した画面の例を挙げる。
図５は、ロック機能状態を無線通話の待ち受け画面とともに表示した場合の画面表示例を示す図である。
【００５４】
図５に示す画面には、待ち受け画面表示部２０１とともに、ロック機能状態を示すアイコン２０２が表示されている。図５では例として、アイコン２０２はＩＣカードロック機能が有効であることを示しているが、ＩＣカードロック機能が解除された場合には、例えば単色の塗りつぶし状態となるなど、アイコン２０２が変化する。
【００５５】
この画面は、無線通話の待ち受け時に表示されるものであり、また、この状態で、携帯電話機１００をＲ／Ｗにかざして非接触ＩＣカード１６０の電子マネー機能を利用することも可能である。従って、ユーザは携帯電話機１００をＲ／Ｗにかざす前後、あるいはかざしている最中にも、画面上のアイコン２０２を容易に視認し、ロック機能状態を確認することができる。
【００５６】
図６は、ロック機能状態を電子マネーの残高および決済履歴の表示画面とともに表示した場合の画面表示例を示す図である。
図６では、非接触ＩＣカード１６０の記録データへのアクセスを伴う携帯電話機１００内のアプリケーションプログラム実行時の画面表示例を示している。この画面には、電子マネーの残高および決済履歴を表示した電子マネー情報表示部２０３とともに、ロック機能状態を示すアイコン２０４が表示されている。
【００５７】
図６（Ａ）は、ＩＣカードロック機能が無効である場合の画面表示例を示しており、この画面では、電子マネー情報表示部２０３には、非接触ＩＣカード１６０から読み出した残高および決済履歴情報が正常に表示され、また、アイコン２０４は単色の塗りつぶし状態とされて、ＩＣカードロック機能が無効であることを示している。
【００５８】
一方、ＩＣカードロック機能が有効である場合に電子マネー情報を表示させるための操作を行うと、画面は図６（Ｂ）のようになり、アイコン２０４がＩＣカードロック機能が有効であることを示す状態とされるとともに、電子マネー情報表示部２０３には、非接触ＩＣカード１６０へのアクセスが制限されている旨を通知する文字情報などが表示される。
【００５９】
なお、図６（Ｂ）では、入力キー１５１を操作して、内容を確認したことを入力するためのアイコン２０５を選択・確定することで、電子マネー情報表示のためのアプリケーションプログラムの実行が終了され、例えば元の待ち受け画面に戻るようになっている。
【００６０】
なお、図６ではアイコン２０４が常時表示されているが、例えば上記図４の処理手順によりロック機能状態が表示される場合には、ＩＣカードロック機能が無効の場合（図６（Ａ）に対応）にはアイコン２０４が表示されず、ユーザが電子マネー情報を表示させる操作入力を行うと、図６（Ｂ）に示すような画面が表示され、この時点でアイコン２０４が表示されることになる。
【００６１】
次に、携帯電話機１００の全体の形状例について説明する。
図７は、ストレート形状の携帯電話機の外観の例を示す斜視図である。
図７に示すようなストレート形状の携帯電話機１００ａの場合、非接触ＩＣカード１６０の外部通信用のアンテナ１６１は、ディスプレイ１４１ａや入力キー１５１が設けられた面の裏側（図中下側）に設けられる。そして、非接触ＩＣカード１６０に対する非接触でのデータ送受信を行う際には、アンテナ１６１が設けられた面をＲ／Ｗ２に向けて、通信可能距離以内に携帯電話機１００ａを近づける。このとき、ディスプレイ１４１ａはユーザ側に向いているので、ユーザはディスプレイ１４１ａを視認することができ、ロック機能状態を確認することができる。
【００６２】
図８は、折り畳みが可能な形状の携帯電話機の外観の例を示す斜視図である。また、図９は、このような携帯電話機を折り畳んだ状態の外観の例を示す斜視図である。
図８に示す携帯電話機１００ｂは、ディスプレイ１４１ｂが設けられた筐体と入力キー１５１ｂが設けられた筐体とがヒンジ部２１０を介して接続され、筐体を折り曲げることが可能とされている。なお、非接触ＩＣカード１６０の外部との通信用のアンテナ１６１は、入力キー１５１ｂが設けられた面の裏側（図中下側）に設けられる。
【００６３】
このような携帯電話機１００ｂでは、図８に示すように筐体を開いた状態でＲ／Ｗ２にかざすことで、非接触ＩＣカード１６０の読み書きを行うことができる他、図９に示すように筐体を閉じた状態でＲ／Ｗ２にかざすことで読み書きを行うことが可能とされているものもある。
【００６４】
このような場合には、筐体を閉じた状態でロック機能状態を確認できるように、メインのディスプレイ１４１ｂの裏面にサブディスプレイ１４１ｃを設け、このサブディスプレイ１４１ｃ上にロック機能状態を表示することが好ましい。現状の折り畳み可能な携帯電話機では、現在時刻表示や着信通知、カメラ撮影時の画角合わせのためなどのためにこのようなサブディスプレイが設けられたものが多く、このサブディスプレイの一部に、アイコンなどによりロック機能状態を表示すればよい。
【００６５】
以上のように、本実施の形態の携帯電話機では、アンテナ１６１が設けられた面の反対面に設けられたディスプレイにロック機能状態を表示するようにしたので、ユーザは、携帯電話機をＲ／Ｗにかざしてデータの読み書きをさせる前後やその最中に、ロック機能状態を容易に確認することができる。また、Ｒ／Ｗにかざした際にデータの読み書きができなかった場合に、特に携帯電話を持ち替えたり何らかの操作入力を行うことなく、ディスプレイを視認することで、その原因がＩＣカードロック機能によるものであるか否かを判別することができる。さらに、非接触ＩＣカードへのアクセスを伴うアプリケーションプログラムの実行時においても、データの読み書きが正常に行われなかった場合に、その原因がＩＣカードロック機能によるものであるか否かを容易に判別することが可能となる。従って、非接触ＩＣカードの機能を利用する際の利便性が高められ、また、その利用時のトラブルを防止することができる。
【００６６】
（付記１）  外部機器との間で非接触でデータの送受信が可能な非接触ＩＣカードを備えた携帯端末において、
ユーザによる入力操作を受け付ける入力手段と、
前記入力手段に対する入力操作に応じて、少なくとも非接触での前記非接触ＩＣカードの記録データに対するアクセスを不可能にするアクセス制限手段と、
前記アクセス制限手段により前記非接触ＩＣカードに対するアクセスが不可能とされているか否かを表示する表示手段と、
を有することを特徴とする携帯端末。
【００６７】
（付記２）  前記表示手段は、前記非接触ＩＣカードに非接触でデータを送受信させる際に、通信対象の外部機器に向ける筐体面の反対面に設けられることを特徴とする付記１記載の携帯端末。
【００６８】
（付記３）  前記非接触ＩＣカードとの間で有線によりデータの送受信を行って処理する処理手段をさらに有し、
前記アクセス制限手段はさらに、前記処理手段による前記非接触ＩＣカードの記録データに対するアクセスも不可能とすることを特徴とする付記１記載の携帯端末。
【００６９】
（付記４）  前記表示手段は、前記入力手段に対する入力操作に応じて起動されたアプリケーションプログラムの実行中に前記処理手段が前記非接触ＩＣカードにアクセスしたときに、前記アクセス制限手段によりアクセスが不可能とされていた場合に、前記非接触ＩＣカードに対するアクセスが不可能である旨を表示するとともに、利用中の前記アプリケーションプログラムを識別するための情報を表示することを特徴とする付記３記載の携帯端末。
【００７０】
（付記５）  前記携帯端末の筐体が折り畳み可能な形状である場合、前記表示手段は、前記筐体を折り畳んだ状態および折り畳んでいない状態において、前記筐体の外面に位置するようにそれぞれ１つずつ設けられることを特徴とする付記１記載の携帯端末。
【００７１】
（付記６）  ２つの前記表示手段のうち、前記筐体の外面に位置して表示が有効なもののみが、前記アクセス制限手段により前記非接触ＩＣカードに対するアクセスが不可能とされているか否かを表示することを特徴とする付記５記載の携帯端末。
【００７２】
（付記７）  前記表示手段は、外部機器から前記非接触ＩＣカードに対する非接触でのアクセスがあったときに、前記アクセス制限手段によりアクセスが不可能とされていた場合にその旨を表示することを特徴とする付記１記載の携帯端末。
【００７３】
（付記８）  前記表示手段は、外部機器から前記非接触ＩＣカードに対する非接触でのアクセスがあったときに、前記アクセス制限手段によりアクセスが不可能とされていた場合には、アクセス制限を解除するための操作画面をさらに表示することを特徴とする付記７記載の携帯端末。
【図面の簡単な説明】
【００７４】
【図１】本発明の原理を説明するための図である。
【図２】本発明の実施の形態に係る携帯電話機の内部構成を示すブロック図である。
【図３】ロック機能状態を表示する処理例を示すフローチャートである。
【図４】ロック機能状態を表示するための他の処理例を示すフローチャートである。
【図５】ロック機能状態を無線通話の待ち受け画面とともに表示した場合の画面表示例を示す図である。
【図６】ロック機能状態を電子マネーの残高および決済履歴の表示画面とともに表示した場合の画面表示例を示す図である。
【図７】ストレート形状の携帯電話機の外観の例を示す斜視図である。
【図８】折り畳みが可能な形状の携帯電話機の外観の例を示す斜視図である。
【図９】携帯電話機を折り畳んだ状態の外観の例を示す斜視図である。
【符号の説明】
【００７５】
１  携帯端末
２  Ｒ／Ｗ
１１  入力手段
１２  表示手段
１３  非接触ＩＣカード
１３ａ  アンテナ
１４  アクセス制限手段
【図１】
2005301489.tif 000003
【図２】
2005301489.tif 000004
【図３】
2005301489.tif 000005
【図４】
2005301489.tif 000006
【図５】
2005301489.tif 000007
【図６】
2005301489.tif 000008
【図７】
2005301489.tif 000009
【図８】
2005301489.tif 000010
【図９】
2005301489.tif 000011